(57)【要約】【課題】いくつかの光源の少なくとも１つの輝度を調整できるＬＣＤとそのバックライト・モジュールを提供する。【解決手段】バックライト・モジュールは、プリント回路基板と、第１の光源と、第１の信号変調装置と、第２の光源とを含む。第１の信号変調装置は、プリント回路基板上に配置され、第１の光源に電気的に接続されている。第１の光源は第１の信号変調装置によって調整され、異なる輝度特性を備えた第２の光源とほぼ同じ輝度を有する光を生成し、その結果、バックライト・モジュールは均一な輝度を達成する。【選択図】  図１
2005183387.tif 000002
【特許請求の範囲】
【請求項１】
バックライト・モジュールであって、
第１のプリント回路基板と、
前記第１のプリント回路基板上に配置された第１の光源と、
前記第１のプリント回路基板上に配置された前記第１の光源を駆動する第１のインバータと、
前記第１のプリント回路基板上に配置され、前記第１のインバータに電気的に接続された第１の信号変調装置であって、前記第１の光源の輝度が前記第１の信号変調装置を変調することによって調整される信号変調装置と、
を備えることを特徴とするバックライト・モジュール。
【請求項２】
前記第１の信号変調装置が第１の可調整抵抗器であることを特徴とする、請求項１に記載のバックライト・モジュール。
【請求項３】
前記第１のインバータが前記第１の可調整抵抗器に直列に接続され、前記第１のインバータが前記第１の光源を駆動する第１の電流を出力し、前記第１の電流の強さが前記第１の可調整抵抗器の抵抗値に関連することを特徴とする、請求項２に記載のバックライト・モジュール。
【請求項４】
前記第１の光源が前記第１のプリント回路基板の第１の表面上に配置され、前記第１のインバータおよび前記第１の信号変調装置が前記第１の表面上に配置されることを特徴とする、請求項１に記載のバックライト・モジュール。
【請求項５】
前記第１の光源が前記第１のプリント回路基板の第１の表面上に配置され、前記第１のインバータおよび前記第１の信号変調装置が前記第１の表面と反対側の第２の表面上に配置されることを特徴とする、請求項１に記載のバックライト・モジュール。
【請求項６】
前記第１のプリント回路基板の１つの面がコネクタを有し、前記コネクタが前記第１のインバータに電気的に接続され、前記第１のプリント回路基板が前記コネクタを介して外部回路に電気的に接続されていることを特徴とする、請求項１に記載のバックライト・モジュール。
【請求項７】
第２の光源と、第２のインバータと、第２の信号変調装置とをさらに備え、前記第２の光源が前記第１のプリント回路基板上に配置され、前記第２の光源を駆動する前記第２のインバータが前記第１のプリント回路基板上に配置され、前記第２の信号変調装置が前記第１のプリント回路基板上に配置され、前記第２のインバータに電気的に接続され、前記第２の信号変調装置の抵抗値を変調することで、前記第２の光源の輝度を調整して前記第１の光源の輝度と前記第２の光源の輝度とをほぼ同じにできることを特徴とする、請求項１に記載のバックライト・モジュール。
【請求項８】
前記第２の信号変調装置が第２の可調整抵抗器であることを特徴とする、請求項７に記載のバックライト・モジュール。
【請求項９】
前記第２の可調整抵抗器に直列に接続された第２のインバータが、その強さが前記第２の可調整抵抗器の抵抗値に関連する前記第２の光源を駆動する第２の電流を出力し、前記第１のインバータと前記第２のインバータの少なくとも１つが前記第１の光源と前記第２の光源との間に配置され、前記第１の可調整抵抗器の抵抗値と前記第２の可調整抵抗器の輝度を変調することで、輝度特性が異なる前記第１の光源と前記第２の光源とがほぼ同じ輝度を生成することを特徴とする、請求項８に記載のバックライト・モジュール。
【請求項１０】
前記第１の光源と前記第２の光源が冷陰極蛍光灯（ＣＣＦＬ）または熱陰極蛍光灯であることを特徴とする、請求項９に記載のバックライト・モジュール。
【請求項１１】
第２の光源と、第２のプリント回路基板と、第２のインバータと、第２の信号変調装置と、光ガイド・パネルとをさらに備え、前記第２の光源が前記第２のプリント回路基板上に配置され、前記第２の光源を駆動する前記第２のインバータが前記第２のプリント回路基板上に配置され、前記第２の信号変調装置が前記第２のプリント回路基板上に配置され、前記第２のインバータに電気的に接続され、前記第１の光源と前記第２の光源とが前記光ガイド・パネルの２つの面に配置され、前記第２の信号変調装置の抵抗値を変調することで、前記第２の光源の輝度を調整して前記第１の光源の輝度と前記第２の光源の輝度とをほぼ同じにできることを特徴とする、請求項１に記載のバックライト・モジュール。
【請求項１２】
液晶ディスプレイ（ＬＣＤ）であって、
収容空間を有するディスプレイ・ハウジングと、
前記収容空間内に配置され、第１の駆動信号を提供する第１の信号ソケットと、
前記収容空間内に着脱可能に配置されたバックライト・モジュールとを備え、前記バックライト・モジュールは、
前記第１の駆動信号を受信する前記第１の信号ソケットに選択的に電気接続された第１のプリント回路基板と、
前記第１のプリント回路基板上に配置され、前記第１の駆動信号によって駆動される第１の光源と、
前記第１のプリント回路基板上に配置され、前記第１の光源に電気的に結合され、前記第１の信号変調装置を通過する前記第１の駆動信号を変調することで、前記第１の光源の輝度を調整する第１の信号変調装置と、を備えることを特徴とするＬＣＤ。
【請求項１３】
前記バックライト・モジュールが、第２の光源と第２の信号変調装置とをさらに備え、前記第２の光源が前記第１のプリント回路基板上に配置され、前記第２の信号変調装置が前記第１のプリント回路基板上に配置され、前記第２の光源に電気的に接続され、前記第１の信号ソケットが前記第１のプリント回路基板に第２の駆動信号をさらに提供し、前記第２の信号変調装置を変調することで、前記第２の光源の輝度を変更して前記第１の光源の輝度と前記第２の光源の輝度とをほぼ同じにできることを特徴とする、請求項１２に記載のＬＣＤ。
【請求項１４】
前記第１の信号変調装置が第１の可調整抵抗器であり、前記第２の信号変調装置が第２の可調整抵抗器であることを特徴とする、請求項１３に記載のＬＣＤ。
【請求項１５】
前記第１の駆動電流の強さが前記第１の可調整抵抗器の抵抗値に関連し、前記第２の駆動電流の強さが前記第２の可調整抵抗器の抵抗値に関連し、前記第１の可調整抵抗器の抵抗値と前記第２の可調整抵抗器の抵抗値とを変調することで、輝度特性が異なる前記第１の光源と前記第２の光源とがほぼ同じ輝度を生成することを特徴とする、請求項１３に記載のＬＣＤ。
【請求項１６】
前記第１の光源と前記第２の光源とが前記第１のプリント回路基板の第１の表面に配置され、前記第１の可調整抵抗器と前記第２の可調整抵抗器も前記第１の表面に配置され、前記１の可調整抵抗器と前記第２の可調整抵抗器の少なくとも１つが前記第１の光源と前記第２の光源との間に配置されることを特徴とする、請求項１３に記載のＬＣＤ。
【請求項１７】
前記第１の光源と前記第２の光源とが前記第１のプリント回路基板の第１の表面に配置され、前記第１の可調整抵抗器と前記第２の可調整抵抗器とが第２の表面に配置され、前記第１の表面が前記第２の表面の反対側にあることを特徴とする、請求項１３に記載のＬＣＤ。
【請求項１８】
前記第１の光源と前記第２の光源とが発光ダイオード（ＬＥＤ）であることを特徴とする、請求項１３に記載のＬＣＤ。
【請求項１９】
前記ＬＣＤが、前記ＬＣＤパネルを制御する第１の制御用プリント回路基板をさらに備え、前記第１の制御用プリント回路基板が、前記第１の駆動信号および前記第２の駆動信号をそれぞれ生成する第１のインバータと第２のインバータとを有することを特徴とする、請求項１３に記載のＬＣＤ。
【請求項２０】
前記第１の光源と前記第２の光源とがＣＣＦＬまたは熱陰極蛍光灯であることを特徴とする、請求項１９に記載のＬＣＤ。
【請求項２１】
前記バックライト・モジュールが、第２の光源と、第２のプリント回路基板と、第２の信号変調装置と、光ガイド・パネルと、第２の信号ソケットとをさらに備え、前記第２の光源が前記第２のプリント回路基板上に配置され、前記第２の信号変調装置が前記第２のプリント回路基板上に配置され、前記第２の光源に電気的に接続され、前記第２の信号ソケットが前記第２のプリント回路基板に第２の駆動信号をさらに提供し、前記第１の光源と前記第２の光源とが前記光ガイド・パネルの２つの面に配置され、前記第２の信号変調装置を変調することで、前記第２の光源の輝度を変更して前記第１の光源の輝度と前記第２の光源の輝度とをほぼ同じにできることを特徴とする、請求項１２に記載のＬＣＤ。
【発明の詳細な説明】
【技術分野】
【０００１】
本発明は、概して、液晶ディスプレイ（ＬＣＤ）およびそのバックライト・モジュールに係り、より詳細には、いくつかの光源の少なくとも１つの輝度を調整できるＬＣＤとそのバックライト・モジュールに関する。
【背景技術】
【０００２】
従来のＬＣＤは、ＬＣＤパネルに必要な明かりを与えるバックライト・モジュールを使用する。バックライト・モジュールの光源は高い輝度と長い寿命という特性を有する必要がある。バックライト・モジュールは主として光源、光ガイド・パネル、ディフューザ、およびプラスチック製フレームを含む。光源はプラスチック製フレーム上に固定されている。光源から照射された光が光ガイド・パネルおよびディフューザによって処理された後で、一様の輝度光が生成され、ＬＣＤパネルに発せられる。現在、最も一般に採用されている光源は冷陰極蛍光灯（ＣＣＦＬ）、熱陰極蛍光灯および発光ダイオード（ＬＥＤ）を含む。例えば、従来のバックライト・モジュールは台湾特許第５４２，８８３号に記載されている。
【０００３】
バックライト・モジュールは、バックライト・モジュール上の光源の配置に従って、エッジタイプのバックライト・モジュールとバックタイプのバックライト・モジュールとに分類できる。エッジタイプのバックライト・モジュールについては、光源はＬＣＤパネルの側面に配置され、光源から発せられる光はＬＣＤパネルの背面に配置された光ガイド・パネルの中央部に伝えられ、光ガイド・パネルを通して拡散する。バックタイプのバックライト・モジュールについては、いくつかの光源がＬＣＤパネルの背面に並列に配置され、表示の際にＬＣＤパネルに必要な光を与える。
【０００４】
長時間使用した後で、ＬＣＤパネルの側面に配置されたエッジタイプのバックライト・モジュールのいくつかの光源の１つが切れて、輝きを放射することを停止することがある。その間、切れた光源が取り外されて新しい光源と交換されると、新しい光源の輝度の方が古い光源の輝度よりも大きいために、２つの側面の不均衡な輝度が発生し、ＬＣＤパネルの輝度の均一性が低下する。したがって、エッジタイプのバックライト・モジュールは不均衡な輝度と低下したレベルの輝度の不均一性を有する可能性がある。
【０００５】
いくつかの光源を使用するバックタイプのバックライト・モジュールについても同じ問題が発生することがある。バックタイプのバックライト・モジュールの光源の１つが切れて新しい光源と交換されると、新しい光源の輝度は古い光源の輝度より大きいので、バックタイプのバックライト・モジュールは不均衡で不均一な輝度という同様の問題を抱えることになる。光源としてＩ字形照明管を使用する場合、照明管の不均一の輝度によって変化した明るい縞と暗い縞とがＬＣＤパネル上に表示され、表示品質を大幅に低下させる。
【特許文献１】台湾特許第５４２，８８３号
【発明の開示】
【発明が解決しようとする課題】
【０００６】
したがって、本発明の目的は、信号変調装置によって、本発明のバックライト・モジュールの光源の１つの輝度を調整し、異なる輝度特性を備えた複数の光源がほぼ同じ輝度を生成してＬＣＤパネルが高レベルの輝度の均一性を達成することができるＬＣＤとそのバックライト・モジュールを提供することである。
【課題を解決するための手段】
【０００７】
本発明の上記目的によれば、第１の光源と、プリント回路基板と、第１のインバータと、第１の信号変調装置とを含むバックライト・モジュールが提供される。第１の光源はプリント回路基板上に配置されている。第１の光源を駆動するインバータがプリント回路基板上に配置されている。プリント回路基板上に配置され、インバータに電気的に接続された第１の信号変調装置を変調することで、第１の光源の輝度を調整することができる。
【０００８】
本発明の別の目的によれば、ディスプレイ・ハウジングと、信号ソケットとバックライト・モジュールとを含むＬＣＤが提供される。このディスプレイ・ハウジングは収容空間を有する。収容空間内に配置された信号ソケットは第１の駆動信号を提供する。バックライト・モジュールは収容空間に着脱可能に配置されている。バックライト・モジュールは、プリント回路基板と、第１の光源と第１の信号変調装置とを含む。プリント回路基板は、第１の駆動信号を受信する信号ソケットに選択的に電気接続される。第１の光源はプリント回路基板上に配置されている。第１の駆動信号は第１の光源を駆動する。プリント回路基板上に配置された第１の信号変調装置は、第１の光源に電気的に接続されている。第１の信号変調装置によって第１の駆動信号を変調することで、第１の光源の輝度を変更することができる。
【０００９】
本発明の他の目的、特徴および利点は、好適な、しかし本発明を限定するものではない実施形態の以下の詳細な説明を読めば明らかになるだろう。説明は、添付の図面を参照しながら行う。
【発明を実施するための最良の形態】
【００１０】
図１には、本発明の第１の実施形態によるバックライト・モジュールの３次元図面が示されている。バックライト・モジュール１００は、光源１０２ａ乃至ｅと、プリント回路基板１０４と、インバータ１０６ａ乃至ｅと、信号変調装置とを含む。光源１０２ａ乃至ｅは、プリント回路基板１０４上に配置されている。光源１０２ａを駆動するインバータ１０６は、プリント回路基板１０４上に配置されている。信号変調装置１０８は、プリント回路基板１０４上に配置され、インバータ１０６ａに電気的に接続されている。光源１０２ａの輝度は、信号変調装置を変調することで調整できる。
【００１１】
好ましくは、信号変調装置１０８は可調整抵抗器である。インバータ１０６ａは可調整抵抗器１０８に直列に接続されている。インバータ１０６ａは光源１０２ａを駆動する電流Ｉ１を出力し、電流Ｉ１の強さは可調整抵抗器１０８の抵抗値に関連する。光源１０２ａ乃至ｅはプリント回路基板１０４の上面１１０ａに配置され、したがって、インバータ１０６ａ乃至ｅおよび可調整抵抗器１０８も上面１１０ａに配置されている。
さらに、プリント回路基板１０４の下部はコネクタ１１２を有する。コネクタ１１２はプリント回路基板１０４の下部に形成され、その１つがインバータ１０６ａに電気的に接続されている複数の電極パッドであってもよい。
【００１２】
図２および図３は、それぞれ、本発明の第１の実施形態によるバックライト・モジュールを適用したＬＣＤの３次元分解図と側面図である。ＬＣＤ２０１は、ディスプレイ・ハウジング２０２と、信号ソケット２０４と、制御用プリント回路基板２０６と、ＬＣＤパネル２０８と、バックライト・モジュール１００とを含む。ディスプレイ・ハウジング２０２は収容空間２０２ａを有する。収容空間２０２ａ内に配置された信号ソケット２０４は、ディスプレイ・ハウジング２０２の底部に位置する。制御用プリント回路基板２０６は、ＬＣＤパネル２０８に電気的に接続され、ＬＣＤパネル２０８を駆動して画像を表示する。信号ソケット２０４は、制御用プリント回路基板２０６上に配置され、制御用プリント回路基板２０６に電気的に接続されている。バックライト・モジュール１００は、収容空間２０２ａに着脱可能に配置されている。バックライト・モジュール１００が底部に向かって下降すると、バックライト・モジュール１００は信号ソケット２０４上に挿入され、プリント回路基板１０４の底部に配置されたコネクタ１１２を電気的に信号ソケット２０４に接続可能にする。そうすることで、プリント回路基板１０４を制御用プリント回路基板２０６に電気的に接続して制御用プリント回路基板２０６から伝達された電力を受け取ることができる。
【００１３】
図１および図２を同時に参照する。光源１０２ａが切れた光源に代わる新しい光源で、光源１０２ｂ乃至ｅが古い光源の時には、新しい光源、すなわち、光源１０２ａの輝度は、長時間にわたって使用されてきた光源１０２ｂ乃至ｅの輝度より大きい。可調整抵抗器１０８の抵抗値を調整することで、インバータ１０６ａから出力される電流Ｉ１の強さが変更される。例えば、可調整抵抗器１０８の抵抗値を増加させると、電流Ｉ１は低下する。光源１０２ａが低下した電流Ｉ１によって駆動されると、光源１０２ａの輝度は低下し、光源１０２ｂ乃至ｅの輝度に近くなる。それ故、ＬＣＤ２０１は、高いレベルの輝度の均一性を達成することができる。
【００１４】
他方、光源１０２ｅが図の第１の左の位置に元々配置されている切れた光源に代わる新しい光源であり、光源１０２ａ乃至ｄが古い光源である場合、古い光源である光源１０２ａを、図の第１の左の位置に移動させ、新しい光源である光源１０２ｅを図の第１の右の位置に移動させる。上記ステップは反復して行うことができる。可調整抵抗器１０８を調整することで、新しい光源の輝度は古い光源の輝度の近くまで低減される。古い光源の切れた光源が新しい光源と交換された後も、ＬＣＤ２０１は高いレベルの輝度の均一性を達成することができる。
【００１５】
図４には、本発明の第２の実施形態によるバックライト・モジュール４００の３次元図面が示されている。第２の実施形態は、光源４０２ａ乃至ｅのうち少なくとも２つの光源が信号変調装置に電気的に接続されているという点で第１の実施形態と異なる。図４は、光源４０２ａ乃至ｅのそれぞれの光源が信号変調装置に電気的に接続されている例である。信号変調装置は例えば可調整抵抗器である。インバータ４０６ａ乃至ｅと可調整抵抗器４０８ａ乃至ｅはプリント回路基板４０４の上面４１０ａに配置されているが、２つの隣接する光源の間、または対応する光源の近くに配置されている。可調整抵抗器４０８ａ乃至ｅにそれぞれ直列に接続されているインバータ４０６ａ乃至ｅは、光源４０２ａ乃至ｅをそれぞれ駆動する電流Ｉ１乃至Ｉ５をそれぞれ出力し、電流Ｉ１乃至Ｉ５の強さは可調整抵抗器４０８ａ乃至ｅの抵抗値に関連する。可調整抵抗器４０８ａ乃至ｅの抵抗値を変調することで、光源４０２ａ乃至ｅの輝度をほぼ同じに調整することができる。
【００１６】
第２の実施形態では、光源４０２ａ乃至ｅは異なる輝度特性を有する。例えば、光源は異なる寿命を有することがあり、または元々の輝度も異なることがある。バックライト・モジュール４００を工場またはサービス・センタの信号ソケット２０４をシミュレートする信号ソケットに接続して、光源４０２ａ乃至ｅの輝度が同じになるまで可調整抵抗器４０８ａ乃至ｅの抵抗値を調整してから、信号ソケット２０４に接続する収容空間２０２ａにバックライト・モジュール４００を挿入して、ＬＣＤ２０１は高レベルの輝度の均一性を確保することができる。
【００１７】
図５には、本発明の第３の実施形態によるバックライト・モジュールの側面図が示されている。第３の実施形態は、第３の実施形態のバックライト・モジュール５００のインバータ５０６と可調整抵抗器５０８がプリント回路基板５０４の上面５１０ａとは反対側の下面５１０ｂに配置されているという点で第１の実施形態および第２の実施形態と異なる。そのような構成によってプリント回路基板５０４のサイズは効果的に節約でき、または複数の光源を上面５１０ａにより近くに配列して配置し、輝度を向上させることができる。
【００１８】
図６および図７を同時に参照する。図６は本発明の第４の実施形態によるバックライト・モジュール６００の側面図である。図７は、本発明の第４の実施形態によるバックライト・モジュールを適用したＬＣＤ７０１の側面図である。ＬＣＤ７０１は、ディスプレイ・ハウジング７０２と、信号ソケット７０４と、制御用プリント回路基板７０６と、ＬＣＤパネル７０８と、バックライト・モジュール６００とを含む。ディスプレイ・ハウジング７０２は収容空間７０２ａを有する。第１の駆動信号ＤＳＩを受信するための信号ソケット７０４は、収容空間７０２ａ内に配置されている。バックライト・モジュール６００は、収容空間７０２ａに着脱可能に配置されている。
【００１９】
バックライト・モジュール６００は、プリント回路基板６０４と、光源６０２ａ乃至ｅと、信号変調装置とを含む。信号変調装置は、例えば、可調整抵抗器６０８ａである。プリント回路基板６０４は、第１の駆動信号ＤＳＩを受信する信号ソケット７０４に選択的に電気接続される。光源６０２ａ乃至ｅはプリント回路基板６０４上に配置されている。第１の駆動信号ＤＳＩは光源６０２ａを駆動する。プリント回路基板６０４上に配置された可調整抵抗器６０８ａは、光源６０２ａに電気的に接続されている。光源６０２ａの輝度は、可調整抵抗器６０８ａによって第１の駆動信号ＤＳＩを変調することで調整される。
【００２０】
可調整抵抗器６０８ａは、光源６０２ａに入力された第１の駆動信号ＤＳＩの電力を調整できるので、第１の駆動信号ＤＳＩの電流の強さは可調整抵抗器６０８ａの抵抗値に関連する。可調整抵抗器６０８ａの抵抗値を変調することで、駆動光源６０２ａの電流を調整でき、したがって、元々輝度特性が異なっていた光源６０２ａおよび光源６０２ｂ乃至ｅはほぼ同じ輝度を生成することができる。
【００２１】
制御用プリント回路基板７０６はＬＣＤパネル７０８を制御する。制御用プリント回路基板７０６は、駆動信号ＤＳＩを生成するためのインバータ７０６ａを有する。バックライト・モジュール６００が信号ソケット７０４内に挿入されると、プリント回路基板６０４ａの片側に位置するコネクタ６１２は信号ソケット７０４に電気的に接続されているので、インバータ７０６ａによって生成される駆動信号ＤＳＩを可調整抵抗器６０８ａを介して光源６０２ａに伝達することができる。
【００２２】
第４の実施形態では、少なくとも２つの光源を可調整抵抗器に電気的に接続して光源の輝度を相応に調整することができる。この状況では、光源を駆動する駆動電流も制御用プリント回路基板から提供できる。第４の実施形態によるバックライト・モジュールの可調整抵抗器は、第２の実施形態によるバックライト・モジュール４００ａと同様、２つの隣接する光源の間、または対応する光源の近くに配置できる。さらに、第４の実施形態によるバックライト・モジュールの可調整抵抗器は、第３の実施形態によるバックライト・モジュール５００ａと同様、プリント回路基板６０４の下面に配置することができる。光源６０２ａ乃至ｅはＣＣＦＬまたは熱陰極蛍光灯で達成できる。
さらに、光源６０２ａ乃至ｅが発光ダイオード（ＬＥＤ）を採用している場合、プリント回路基板７０６はＣＣＦＬを採用する場合に必要なインバータ７０６ａを省略することができる。
【００２３】
本発明の第１の実施形態から第４の実施形態によるバックライト・モジュールは、バックタイプのバックライト・モジュールである。それにもかかわらず、本発明の精神はエッジタイプのバックライト・モジュールに適用できる。図８には、本発明の第５の実施形態によるエッジタイプのバックライト・モジュールが示されている。光源８０２ａ、インバータ８０６ａおよび可調整抵抗器８０８ａがプリント回路基板８０４ａ上に配置されている。また、光源８０２ｂ、インバータ８０６ｂおよび可調整抵抗器８０８ｂがプリント回路基板８０４ｂ上に配置されている。可調整抵抗器８０８ａおよび８０８ｂはそれぞれインバータ８０６ａおよび８０６ｂに電気的に接続されている。エッジタイプのバックライト・モジュール８００は、光ガイド・パネル８２０を有する。光源８０２ａおよび８０２ｂはそれぞれ光ガイド・パネル８２０の２つの面に配置されている。光源８０２ａおよび８０２ｂが異なる輝度特性を有している場合、可調整抵抗器８０８ａおよび８０８ｂを変調して光源８０２ａおよび８０２ｂの輝度を変調することで、光源８０２ａの輝度と光源８０２ｂの輝度は同じになり、したがって、光ガイド・パネル８２０の輝度は高レベルの均一性を有することになる。
【００２４】
プリント回路基板８０４ａおよび８０４ｂは、その上にインバータ８０６ａおよび８０６ｂを配置する必要はない。プリント回路基板８０４ａおよび８０４ｂがそれぞれ信号ソケット８０５ａおよび８０５ｂに電気的に接続されている時には、プリント回路基板８０４ａおよび８０４ｂは光源８０２ａおよび８０２ｂをそれぞれ駆動するそれぞれの駆動信号を受信する。
【００２５】
本発明のバックライト・モジュールは、ＣＣＦＬ、熱陰極蛍光灯、ＬＥＤ、または輝度を調整できる他の光源などの光源を採用できる。信号変調装置によって調整された駆動信号の電力を変調することで輝度を変更できる任意の光源を本発明のバックライト・モジュールに適用することができる。
【００２６】
本発明の上記の好ましい実施形態で開示されたＬＣＤおよびそのバックライト・モジュールは、信号変調装置によって、輝度特性が異なる光源がほぼ同じ輝度を生成することを可能にし、その結果、ＬＣＤパネルは高レベルの輝度の均一性を達成することができる。
【００２７】
好ましい実施形態を参照しながら本発明を説明してきたが、これは例示としてのものであって、それに制限されるものではないことを理解されたい。それどころか、種々の変更および類似の構成および手順も本発明の範囲内に含まれるように意図され、それ故、上記すべての変更および類似の構成および手順を包含するように添付の特許請求の範囲を最も広く解釈すべきである。
【図面の簡単な説明】
【００２８】
【図１】本発明の第１の実施形態によるバックライト・モジュールの３次元図である。
【図２】本発明の第１の実施形態によるバックライト・モジュールを適用したＬＣＤの３次元分解図である。
【図３】本発明の第１の実施形態によるバックライト・モジュールを適用したＬＣＤの側面図である。
【図４】本発明の第２の実施形態によるバックライト・モジュールの３次元図である。
【図５】本発明の第３の実施形態によるバックライト・モジュールの側面図である。
【図６】本発明の第４の実施形態によるバックライト・モジュールの側面図である。
【図７】本発明の第４の実施形態によるバックライト・モジュールを適用したＬＣＤの側面図である。
【図８】本発明の第５の実施形態によるエッジタイプのバックライト・モジュールを示す図である。
【図１】
2005183387.tif 000003
【図２】
2005183387.tif 000004
【図３】
2005183387.tif 000005
【図４】
2005183387.tif 000006
【図５】
2005183387.tif 000007
【図６】
2005183387.tif 000008
【図７】
2005183387.tif 000009
【図８】
2005183387.tif 000010
【外国語明細書】
2005183387000001.pdf